(57)【要約】【課題】  電子媒体におけるコピー・プロテクトされたファイルがファイルの破壊後に使用および修復されることを可能にするシステムおよび方法を提供する。【解決手段】  コピー・プロテクトされたデータが、オンライン検索可能なシステムを通して電子媒体再生装置上で再生するためにバックアップ又は復元され、使用可能にされる。電子記憶媒体ファイルの破壊されたセグメントが、読取り、実行、又は再生される前に識別され且つ所在位置を指定される。次に、ネットワークからの未破壊のコピーが所在位置を指定され、ソフトウェア命令がファイルの未破壊のセグメントを電子媒体再生装置の記憶装置に供給し、その未破壊のセグメントを電子記憶媒体ファイルの読取り、実行、または再生に組み合わせて、未破壊のファイルと見分けがつかない出力を実時間で連続的に生じさせる。【選択図】  図１
2007109374.tif 000002
【特許請求の範囲】
【請求項１】
電子媒体再生装置においてデータを復元するための方法であって、
前記電子媒体再生装置において再生される電子記憶媒体ファイル上の破壊されたファイル・セグメントを識別し且つ所在位置を決定するステップと、
前記電子記憶媒体ファイルのマスタ・コピーを有するオンライン・サービス提供者をアクセスするステップと、
前記破壊されたファイル・セグメントに適合する未破壊のファイル・セグメントを前記マスタ・コピーから前記電子媒体再生装置にダウンロードするステップと、
前記電子媒体再生装置における前記電子記憶媒体ファイルの再生中、前記破壊されたファイル・セグメントの代わりに前記未破壊のファイル・セグメントを用いるステップと、
を含む、方法。
【請求項２】
前記電子記憶媒体ファイルの再生中、前記破壊されたファイル・セグメントを動的に識別し且つ所在位置を決定するステップを更に含む、請求項１に記載の方法。
【請求項３】
前記識別し且つ所在位置を決定するステップ、前記アクセスするステップ、及び前記ダウンロードするステップが前記電子記憶媒体ファイルを再生した後に遂行される、請求項１に記載の方法。
【請求項４】
前記電子記憶媒体ファイルがコンパクト・ディスク、デジタル・ビデオ・ディスク、フロッピー・ディスク、フラッシュ・メモリ、またはハード・ディスク・ドライブを含む、請求項１に記載の方法。
【請求項５】
前記電子記憶媒体ファイルに割り当てられた一意的な識別子に関してサーチすることによって前記マスタ・コピーの所在位置を決定するステップを含む、請求項１に記載の方法。
【請求項６】
前記未破壊のファイル・セグメントを用いるステップが、前記未破壊のファイル・セグメントを前記電子媒体再生装置のアクセス可能なメモリにロードするステップを含む、請求項１に記載の方法。
【請求項７】
前記マスタ・コピーが、圧縮されたオーディオまたはデータ・ファイル・フォーマットを含む、請求項１に記載の方法。
【請求項８】
前記マスタ・コピーを圧縮解除するステップと、
前記未破壊のファイル・セグメントを識別するステップと、
前記未破壊のファイル・セグメントが互換性フォーマットのものではない場合、前記未破壊のファイル・セグメントを前記電子媒体再生装置と互換性のあるフォーマットに変換するステップと、
を更に含む、請求項７に記載の方法。
【請求項９】
前記アクセスするステップが、同様のデータ搬送体を有するピアのネットワークをアクセスするステップを含む、請求項１に記載の方法。
【請求項１０】
前記マスタ・コピーが前記オンライン・サービス提供者から得られることを確認するステップと、
前記マスタ・コピーは得られないが、前記マスタ・コピーがアクセス可能なデータベース内にあるとき、前記マスタ・コピーに対するいずれの要求も保存し、前記マスタ・コピーがいつ得られるようになるかをユーザにプロンプトするステップと、
前記電子記憶媒体ファイルが、合法性を決定するための基準に適合することをダウンロード前に確認するステップと、
を更に含む、請求項１に記載の方法。
【請求項１１】
前記マスタ・コピーが前記オンライン・サービス提供者から得られない場合、前記マスタ・コピーを含む他のオンライン・ロケーションに前記ユーザを経路指定するステップを更に含む、請求項１０に記載の方法。
【請求項１２】
前記電子記憶媒体ファイルが合法性に関する基準に適合することを確認するステップが前記電子記憶媒体ファイルのコピー制限を確認するステップを含む、請求項１０に記載の方法。
【請求項１３】
前記電子記憶媒体ファイルが、合法性を決定するための前記基準に適合しないとき、合法的でないコピーが現在使用中であるという通知を前記ユーザに送るステップを更に含む、請求項１０に記載の方法。
【請求項１４】
前記電子記憶媒体ファイルの合法的なコピーの所在位置を決定するステップと、
前記合法的なコピーを購入する機会を前記ユーザに提供するステップと、
前記ユーザが受領及び支払を行うとき、前記合法的なコピーをダウンロードするステップと、
を更に含む、請求項１３に記載の方法。
【請求項１５】
指定されたＵＲＬまたはパスワードをユーザに許容すること或いは暗号解除アルゴリズムをユーザと共用することによって、１つの指定されたオンライン・ロケーションから前記未破壊のファイル・セグメントをダウンロードするステップを更に含む、請求項１に記載の方法。
【請求項１６】
電子媒体再生装置においてデータを復元するための方法であって、
電子記憶媒体ファイルに割り当てられた一意的な識別子に関してサーチすることによって前記電子記憶媒体ファイルのマスタ・コピーの所在位置を決定するステップと、
前記電子記憶媒体ファイルにおける破壊されたファイル・セグメントの開始点及び終了点に識別マーカを割り当てることによって前記破壊されたファイル・セグメントを識別し且つ所在位置を決定するステップと、
前記電子記憶媒体ファイルのマスタ・コピーを有するオンライン・サービス提供者をアクセスするステップと、
前記マスタ・コピーが前記オンライン・サービス提供者から得られることを確認するステップと、
前記マスタ・コピーは得られないが、前記マスタ・コピーがアクセス可能なデータベース内にあるとき、前記マスタ・コピーに対するいずれの要求も保存し、前記マスタ・コピーがいつ得られるようになるかをユーザにプロンプトするステップと、
合法性を決定するための基準に前記電子記憶媒体ファイルが適合することを、ダウンロードの前に確認するステップと、
前記電子記憶媒体ファイルが合法的であると決定されるとき、前記マスタ・コピーからの未破壊のファイル・セグメントを前記電子媒体再生装置のアクセス可能なメモリにダウンロードするステップであって、前記未破壊のファイル・セグメントが前記破壊されたファイル・セグメントに適合する、ステップと、
前記電子媒体再生装置における前記電子記憶媒体ファイルの再生中、前記破壊されたファイル・セグメントの代わりに前記未破壊のファイル・セグメントを用いるステップと、
を含む、方法。
【請求項１７】
前記マスタ・コピーが圧縮フォーマットのものであるとき、前記マスタ・コピーを圧縮解除するステップと、
前記未破壊のファイル・セグメントを識別するステップと、
前記未破壊のファイル・セグメントが互換性フォーマットのものではない場合、前記電子媒体再生装置と互換性のあるフォーマットに前記未破壊のファイル・セグメントを変換するステップと、
を更に含む、請求項１６に記載の方法。
【請求項１８】
電子媒体再生装置においてデータを復元するための方法ステップを遂行するためにマシンにより実行可能な命令のプログラムを実体的に具現化する、前記マシンにより読取り可能なプログラム記憶装置であって、前記方法ステップが、
電子記憶媒体ファイルに割り当てられた一意的な識別子に関してサーチすることによって前記電子記憶媒体ファイルのマスタ・コピーの所在位置を決定するステップと、
前記電子記憶媒体ファイルにおける破壊されたファイル・セグメントの開始点及び終了点に識別マーカを割り当てることによって前記破壊されたファイル・セグメントを識別し且つ所在位置を決定するステップと、
前記電子記憶媒体ファイルのマスタ・コピーを有するオンライン・サービス提供者をアクセスするステップと、
前記マスタ・コピーが前記オンライン・サービス提供者から得られることを確認するステップと、
前記マスタ・コピーは得られないが、前記マスタ・コピーがアクセス可能なデータベース内にあるとき、前記マスタ・コピーに対するいずれの要求も保存し、前記マスタ・コピーがいつ得られるようになるかをユーザにプロンプトするステップと、
合法性を決定するための基準に前記電子記憶媒体ファイルが適合することを、ダウンロードの前に確認するステップと、
前記電子記憶媒体ファイルが合法的であると決定されるとき、前記マスタ・コピーからの未破壊のファイル・セグメントを前記電子媒体再生装置のアクセス可能なメモリにダウンロードするステップであって、前記未破壊のファイル・セグメントが前記破壊されたファイル・セグメントに適合する、ステップと、
前記電子媒体再生装置における前記電子記憶媒体ファイルの再生中、前記破壊されたファイル・セグメントの代わりに前記未破壊のファイル・セグメントを用いるステップと、
を含む、プログラム記憶装置。
【発明の詳細な説明】
【技術分野】
【０００１】
本発明は、総体的には、電子記憶装置の再生中、見つかった欠陥の修正に関し、詳しく云えば、電子記憶装置におけるコピー・プロテクトされた媒体を含む電子媒体を、実時間で又は再生前に、所在位置を決定し、識別し、及びバックアップするためのオンライン・システム及び方法を提供することに関するものである。
【背景技術】
【０００２】
破壊された電子ファイルの復元には、コピーするために、その破壊された部分の原始バージョンを有する入手可能なオリジナル・コピーまたはマスタ・コピーを必要とする。しかし、コピー・プロテクトされているファイルのオリジナル又はマスタ・コピーを得ることは、コピー・プロテクトされてないファイルでは遭遇しない付加的な問題を有する。コピー・プロテクトは、デジタル・ビデオ・ディスク（ＤＶＤ）、コンパクト・ディスク（ＣＤ）、及び他の電子記憶装置のような電子媒体に保存される多くのタイプのデータに組み込まれる。更に、幾つかの名前を挙げるとすれば、ＣＤオーディオ及びＭＰ３のような種々のフォーマットが電子媒体上に情報を保存するために使用される。ＭＰ３及び別の圧縮フォーマットは、データ転送における或る時点で圧縮解除変換を必要とする。ＭＰ３は、非可逆圧縮を使用してビデオ及びオーディオを表示するための標準のファミリであるＭＰＥＧ（Motion Pictures Expert Group）の一部である。オーディオまたはデータのフォーマット方式に関係なく、一般に、著作権法の侵害である不法複製を防止するために、コピー・プロテクトが電子媒体の購入前に組み込まれる。残念ながら、コピー・プロテクトは、データが破壊されるという事態を防ぐために、電子媒体上に保存されたファイルを二次的なバックアップ・ディスクに合法的にコピーすることを妨げてしまう。例えば、音楽再生のコンパクト・ディスクの一部分が損傷又は破壊されている場合、そのコンパクト・ディスクが再生されるとき、音楽情報の喪失が顕著である。通常、音楽情報の喪失は、音楽のスキップまたは再生の停止を生じさせる。
【０００３】
従来技術はこの問題に実時間で対処するのではなく、代わりに、少なくとも再フォーマット又は再生システムのリブートを必要とするソフトウェア修正に頼っている。例えば、２００３年７月２４日に出願され、「SAVE AND RESTORE OF A PROTECTED AREA」と題した米国特許公開番号ＵＳ２００５／００２１９１９Ａ１号には、保護領域にブートすること、保護領域の内容を記憶装置のユーザ領域にコピーすること、ユーザ領域にリブートすること、しかる後ユーザ領域をバックアップ記憶装置に保存することによって記憶装置の保護領域を保存する方法、装置、システム、及び信号保持媒体が教示されている。
【０００４】
本発明では、破壊されたファイルは保護領域において検出されるのではなく、むしろ、動的に又は事前の分析によって検出される。更に、それらのファイルが読み出され、または実行され、または再生されるべきとき、本発明は、ネットワークから未破壊のコピーをアクセスし、そのファイルの未破壊セグメントを記憶装置に保存し、このセグメントをファイルの読取り、実行、又は再生に組み合わせて、その未破壊のファイルと見分けがつかない出力を実時間で一様に生成する。マスタ・コピーが圧縮フォーマットのものである場合、本発明は変換プロセスの一部として圧縮解除を必要とする。
【特許文献１】米国特許公開番号ＵＳ２００５／００２１９１９Ａ１号
【発明の開示】
【発明が解決しようとする課題】
【０００５】
従って、従来技術の問題点及び欠点を留意して、本発明の目的は、電子媒体におけるコピー・プロテクトされたファイルがファイルの破壊後に使用されること及び修復されることを可能にするシステム及び方法を提供することにある。
【０００６】
本発明の別の目的は、電子記憶媒体内の破壊されたファイルを識別し且つ所在位置を決定し、データ破壊の検出後、連続的にそのファイルを再生するシステム及び方法を提供することにある。
【０００７】
本発明の更に別の目的は、コピー・プロテクトされている破壊されたデータ・ファイルを動的に又は事前の分析によってオンラインで修復するシステム及び方法を提供することにある。
【０００８】
本発明の更に別の目的及び利点は、本明細書から部分的に明瞭になるであろうし、明らかになるであろう。
【課題を解決するための手段】
【０００９】
当業者には明らかであると思われる上記及び他の目的は、電子媒体再生装置におけるデータを復元するための方法に関する本発明において達成される。その方法は、電子媒体再生装置において再生される電子記憶媒体ファイル上の破壊されたファイル・セグメントを識別し且つ所在位置を決定するステップと、その電子記憶媒体ファイルのマスタ・コピーを有するオンライン・サービス提供者をアクセスするステップと、破壊されたファイル・セグメントに適合する未破壊のファイル・セグメントをマスタ・コピーから電子媒体再生装置にダウンロードするステップと、電子媒体再生装置における電子記憶媒体ファイルの再生中、その破壊されたファイル・セグメントの代わりに未破壊のファイル・セグメントを用いるステップとを含む。その方法は、電子記憶媒体ファイルの再生中、その破壊されたファイル・セグメントを動的に識別し且つ所在位置を決定するステップを更に含む。電子記憶媒体ファイルは、コンパクト・ディスク、デジタル・ビデオ・ディスク、フロッピ・ディスク、フラッシュ・メモリ、またはハード・ドライブを含む。電子記憶媒体ファイルに割り当てられた一意的な識別子に関してサーチすることによってマスタ・コピーの所在位置が決定される。未破壊のファイル・セグメントを用いるステップは、その未破壊のファイル・セグメントを電子媒体再生装置のアクセス可能なメモリにロードするステップを含む。マスタ・コピーは、圧縮されたオーディオまたはデータ・ファイル・フォーマットを含むことが可能である。更にその方法ステップは、マスタ・コピーを圧縮解除するステップと、未圧縮のファイル・セグメントを識別するステップと、その未圧縮のファイル・セグメントが互換性フォーマットのものではない場合、その未圧縮のファイル・セグメントを電子媒体再生装置と互換性のあるフォーマットに変換するステップとを含む。オンライン・サービス提供者をアクセスするステップは、同様のデータ搬送体を有するピアのネットワークをアクセスするステップを含む。マスタ・コピーがオンライン・サービス提供者から得られることを確認するステップと、マスタ・コピーは得られないが、マスタ・コピーがアクセス可能なデータベース内にあるとき、そのマスタ・コピーに対するいずれの要求も保存し、マスタ・コピーがいつ得られるようになるかをユーザにプロンプトするステップと、電子記憶媒体ファイルが、合法性を決定するための基準に適合することをダウンロード前に確認するステップとを更に含む。マスタ・コピーがオンライン・サービス提供者から得られない場合、マスタ・コピーを含む他のオンライン・ロケーションにユーザを経路指定するステップが生じることも可能である。その方法は、更に、電子記憶媒体ファイルの合法的なコピーの所在位置を決定するステップと、合法的なコピーを購入する機会をユーザに提供するステップと、ユーザが受領及び支払を行うとき、合法的なコピーをダウンロードするステップとを更に含む。
【００１０】
第２の形態では、本発明は、電子媒体再生装置においてデータを復元するための方法に関する。その方法は、電子記憶媒体ファイルに割り当てられた一意的な識別子に関してサーチすることによって電子記憶媒体ファイルのマスタ・コピーの所在位置を決定するステップと、電子記憶媒体ファイルにおける破壊されたファイル・セグメントの開始点及び終了点に識別マーカを割り当てることによってその破壊されたファイル・セグメントを識別し且つ所在位置を決定するステップと、電子記憶媒体ファイルのマスタ・コピーを有するオンライン・サービス提供者をアクセスするステップと、マスタ・コピーがオンライン・サービス提供者から得られることを確認するステップと、マスタ・コピーは得られないが、そのマスタ・コピーがアクセス可能なデータベース内にあるとき、マスタ・コピーに対するいずれの要求も保存し、マスタ・コピーがいつ得られるようになるかをプロンプトするステップと、合法性を決定するための基準に電子記憶媒体ファイルが適合することを、ダウンロードの前に確認するステップと、電子記憶媒体ファイルが合法的であると決定されるときにマスタ・コピーからの未破壊のファイル・セグメントを電子媒体再生装置のアクセス可能なメモリにダウンロードするステップであって、未破壊のファイル・セグメントがその破壊されたファイル・セグメントに適合する、そのステップと、電子媒体再生装置における電子記憶媒体ファイルの再生中、破壊されたファイル・セグメントの代わりに未破壊のファイル・セグメントを用いるステップとを含む。その方法は、更に、マスタ・コピーが圧縮フォーマットのものであるとき、マスタ・コピーを圧縮解除するステップと、未圧縮のファイル・セグメントを識別するステップと、未圧縮のファイル・セグメントが互換性フォーマットのものではない場合、電子媒体再生装置と互換性のあるフォーマットに未圧縮のファイル・セグメントを変換するステップとを更に含む。
【００１１】
第３の形態では、本発明は、マシンにより読取り可能なプログラム記憶装置に関するものであり、そのプログラム記憶装置は、電子媒体再生装置においてデータを復元するための方法ステップを遂行するためにマシンにより実行可能な命令のプログラムを実体的に具現化する。その方法は、電子記憶媒体ファイルに割り当てられた一意的な識別子に関してサーチすることによって電子記憶媒体ファイルのマスタ・コピーの所在位置を決定するステップと、電子記憶媒体ファイルにおける破壊されたファイル・セグメントの開始点及び終了点に識別マーカを割り当てることによってその破壊されたファイル・セグメントを識別し且つ所在位置を決定するステップと、電子記憶媒体ファイルのマスタ・コピーを有するオンライン・サービス提供者をアクセスするステップと、マスタ・コピーがオンライン・サービス提供者から得られることを確認するステップと、マスタ・コピーは得られないが、そのマスタ・コピーがアクセス可能なデータベース内にあるとき、マスタ・コピーに対するいずれの要求も保存し、マスタ・コピーがいつ得られるようになるかをプロンプトするステップと、合法性を決定するための基準に電子記憶媒体ファイルが適合することを、ダウンロードの前に確認するステップと、電子記憶媒体ファイルが合法的であると決定されるときにマスタ・コピーからの未破壊のファイル・セグメントを電子媒体再生装置のアクセス可能なメモリにダウンロードするステップであって、未破壊のファイル・セグメントがその破壊されたファイル・セグメントに適合する、そのステップと、電子媒体再生装置における電子記憶媒体ファイルの再生中、その破壊されたファイル・セグメントの代わりに未破壊のファイル・セグメントを用いるステップとを含む。
【発明を実施するための最良の形態】
【００１２】
本発明の好適な実施例の説明において、添付図面の図１〜図４に対する参照が行われることになる。これらの図では、同じ番号が本発明の同じ特徴を指す。
【００１３】
本発明は、コンパクト・ディスク、ＤＶＤ等のような電子記憶媒体における破壊されたファイルを動的に又は事前分析によって検出する。ファイルが読み取られ、実行され、又は再生されるとき、本発明は、そのファイルのうちのどのセグメントが破壊されたかを決定し、そのファイルの欠陥セグメントにおける未破壊バージョンをネットワークからアクセスし、その未破壊のファイル・セグメントを記憶装置に保存し、このセグメントをそのファイルの読取り、実行、又は再生に組み込んで、その未破壊のファイルと見分けがつかない出力を一様に生成する。重要なこととして、好適な解決方法は、コンパクト・ディスクにおける欠陥を修正することに限定されないし、なかんずく、ＤＶＤ、フラッシュ・メモリ及びハード・ドライブのような電子媒体に対して同様に使用することが可能である。更に、本発明はいずれの特定なタイプのオーディオ又はデータ・フォーマットにも限定されず、ＭＰ３のような圧縮情報の転送および変換等を含むことも可能である。便宜上、本願で開示される例はコンパクト・ディスクおよびそれと普通に関連したフォーマットにおける欠陥の修正に関連する。しかし、本発明はそのようには限定されないし、本願で開示された方法は他の電子記憶媒体および他の電子オーディオ及びデータ・フォーマットに等しく適用可能なものである。
【００１４】
音楽がコンパクト・ディスクにおいて保存及び再生されるとき、欠陥は容易に検出可能である。というのは、コンパクト・ディスク再生装置は記憶された部分の読取りが困難になり、音楽再生を継続するためには後方の部分にジャンプしなければならないためである。音楽シーケンスにおける欠落又はジャンプは、ファイル・セグメントが読取り不可能であり、破壊されているかもしれないということを直ちにユーザに知らしめる。欠陥領域のサイズ及び場所が決定される。例えば、欠陥は、時間３:２１で始まり且つ時間５:０４におよぶ再生リスト番号３のような再生リスト番号及びその影響を受けた再生時間を定義することによってコンパクト・ディスクにおいて識別され且つ所在位置を決定され得る。音楽再生中の識別された欠陥部分の悪影響を取り除くために、これらの欠陥部分の置換セグメントを適正な時間にアクセス及び再生することが必要である。破壊セグメントを識別するための別の方法がコンパクト・ディスクの欠陥部分の所在位置を決定するために使用可能であり、本発明はいずれか１つの特定の識別方法に限定されるものではない。しかし、破壊されたセグメントの正確な置換が得られるよう、その破壊されたセグメントが識別されることは重要である。
【００１５】
更に、得られたマスタ・コピーがＭＰ３のような圧縮されたフォーマット済みのファイルである場合、転送前にそのファイルを圧縮解除して置換セグメントを識別するか、又は、反対に、圧縮されたオーディオまたはデータ・ファイルを転送し、電子媒体再生装置においてそのフォーマットされたバージョンを圧縮解除することが必要であろう。いずれの場合も、本発明は、圧縮されたオーディオ及びデータ・ファイルをアドレスし、それのセグメント化された部分を識別し、電子媒体再生装置における再生のために未破壊のセグメント化された部分をダウンロードすることができる。
【００１６】
好適な実施例では、破壊されたファイルの修正を行うために、オンライン・サービスによって接続が確立される。一意的な識別子がコンパクト・ディスクに割り当てられる。その一意的な識別子を使って、オンライン・サービス提供者がコンパクト・ディスクのマスタ・コピーを見つける。コンパクト・ディスクの脱落／欠陥部分がマスタ・コピーから選択され、ＣＤを再生する装置のメモリ内にダウンロードされる。コンパクト・ディスクにおける欠陥部分が音楽再生に関係する前に、コンパクト・ディスク再生装置がＣＤの欠陥部分を識別し、コンパクト・ディスク再生装置のメモリから同じセグメントの非欠陥部分を得る。破壊された部分を再生するために適切な時間が経過するとき、コンパクト・ディスク再生装置は、コンパクト・ディスクにおける欠陥セグメントではなくて、そのコンパクト・ディスク再生装置のメモリから未破壊のセグメントを再生する。
【００１７】
第２実施例では、ユーザはブランクのコンパクト・ディスクを挿入し、そしてＣＤの未破壊部分をコピーすること及びダウンロードされていたそのファイルの部分とそれらを組み合わせることによって新しいコンパクト・ディスクを形成し、そしてメモリから読み出され、実行され、または再生されるというオプションを有する。
【００１８】
図１は、本発明に関するメイン・プロセス・フローのフローチャートを示す。第１アクション（ステップ１００）において、破壊されたファイルの復元及びコピーを行うソフトウェアが電子媒体再生装置にロードされる。次に、ユーザがコンパクト・ディスク、デジタル・ビデオ・ディスク、コンピュータ・フロッピ・ディスク等を挿入し、その選択された媒体を再生する（ステップ１１０）。その再生中、コンパクト・ディスク（または前述のような他の電子記憶媒体）が著しい欠陥を示し、おそらく、読取りエラーのために、記憶されたファイルの一部分をスキップすることがある（ステップ１２０）。読取りエラーがない場合（ステップ１２０ａ）、ディスクは再生を継続する。しかし、エラーが検出される場合（ステップ１２０ｂ）、欠陥セグメントの所在位置が決定され、そして識別または登録され、望ましくは、欠陥セグメントの開始点及び終了点をマークする識別子が割り当てられる（ステップ１３０）。この情報は、破壊データを含むクラスタおよびセクタ識別子とともに登録されてもよい。そこで、プロセスは、破壊されたファイルの読取りまたはスキップを軽減するためにオンライン・サービスをアクセスすべく進行する（ステップ１４０）。原則として、オンライン・サービスは、幾つかの名前を挙げるとすれば、音楽用コンパクト・ディスクのための音楽記録業界によって利用されるサイト、またはデジタル・ビデオ記録のための映画記録業界によって利用されるサイトのような業界サイトによって提供されるサービスであることが望ましい。本発明は、サイトが保存バージョンを有する限り、又はＣＤ、ＤＶＤ等の非破壊のオーディオ及びデータ・バージョンの保存バージョンへのダイレクト・アクセスを有する限り、いずれの特定サイトにも限定されないし、システム・プログラミング構造を通して非破壊のコピーをユーザにとってアクセス可能にする。更に、システムは、ピアのネットワークが、ユーザにとってアクセス可能な非破壊のファイルを保存している場合、同様のデータ搬送体でもってそのピアのネットワークをアクセスすることも可能である。しかる後、オンライン・システムは、図２に関連して更に詳細に後述されるように、その要求を処理する（ステップ１５０〜１７０）。
【００１９】
図２は、図１では「サブ・プロセス１」と呼ばれ、破壊されたファイルを非破壊のバージョンでもって置換するための要求を、オンライン・システムが処理することに関するフローチャートを示す。オンライン・システムは、オリジナル又はマスタ・コピーが使用可能であることを確認するためのチェックを先ず行う（ステップ１５０）。このチェックは、ＣＤ、ＤＶＤ等に割り当てられた一意的な識別子の助けでもって行われる。コピーが、データベース内のものを除いて、使用可能ではない場合、オンライン・システムはその要求を保存し、いつオリジナルまたはマスタ・コピーが使用可能となるかをユーザにプロンプトする。ユーザは、選択されたセクションを含むことがある別のロケーションに経路指定することも可能である。一旦オリジナルまたはマスタ・コピーが利用可能になると、オンライン・システムがユーザのディスクの合法性を確認する（ステップ１６０）。例えば、オンライン・システムは、コンパクト・ディスクがオリジナル・コピーであるかどうかをチェックするであろう。これを達成し得る１つの方法は、コピー制限が依然として損なわれていないかどうかを決定することによる方法である。明らかに、確認に関する別の更に複雑な方法が組み込み可能であり、コピー制限の確認と同様の方法で具現化することも可能であろう。コンパクト・ディスクが確認ステップを失敗する場合、オンライン・サービス提供者は、オンライン・ディスク系の非破壊セグメントをダウンロードすることを拒否するであろう。しかし、オンライン・サービス提供者は、不法なコピーが使用されているという通知をサービス要求元に送るというような或る形式の修正アクションを要求するオプショナル・ステップを取ることも可能である。オンライン・サービス提供者は合法的なコピーに対する支払をし、それを受け取るための手段を提供することも可能である。
【００２０】
オンライン・バージョンからの識別された非破壊部分がユーザのＣＤ再生装置等のようなユーザの電子媒体再生装置に送られるかまたはそれと共用される（ステップ１７２）。共用バージョンが提供されるとき、オンライン・システムは、ユーザが或る指定されたオンライン・ロケーションからその選択された部分をダウンロードすることを可能にする。これは、指定されたＵＲＬまたは特別のユーザ・パスワードをユーザに許可することによって達成することが可能である。一般的に入手可能なＵＲＬが使用されることを許容する暗号解除アルゴリズムを共用することも可能である。同じ破壊されたＣＤファイルを再生するように他の電子媒体装置を準備するためには、同じ影響を受ける部分の複数のダウンロードを許容することが望ましい。
【００２１】
フォーマットされたオーディオ及びデータ・ファイルがＭＰ３ファイル及び他の圧縮フォーマットに対する場合のような圧縮ファイルである場合、この方法は、オンラインで、または電子媒体再生装置において未破壊セグメントを圧縮解除及び識別することを必要とする（ステップ１７４）。望ましくは、それらのセグメントはオンライン・サービス提供者において圧縮解除されて識別され、しかる後、電子媒体再生装置に送られる。或る例では、特定の電子媒体再生装置において未破壊セグメントを再生するためには、１つのファイル・フォーマットから他のファイル・フォーマットに変換することが必要であることがある。別の実施例では、圧縮解除アルゴリズム、変換アルゴリズム、またはその両方が電子媒体再生装置において使用可能である。圧縮フォーマットのバージョンにおける未破壊のファイル・セグメントを識別するより簡単な形式は、そのセグメントを識別する前にオーディオまたはデータ・ファイルを先ず圧縮解除することによって達成することが可能である。電子媒体再生装置が、オンライン・サービス提供者によって提供されるフォーマットとは異なるフォーマットを必要とする場合、データ転送前にオンラインで、または電子媒体再生装置サイトにおいて、変換が実施されることも可能である。図２のステップ１７４は、変換がオンライン・サービス提供者のサイトで生じることを示す。
【００２２】
図１のステップ１８０を参照すると、次に、オンライン・バージョンからの識別された非破壊部分がユーザの電子媒体再生装置に送られるか又はそれと共用される。望ましくは、この部分の内容はユーザのシステムに、例えば、ＣＤ再生装置又はコンピュータに含まれたハード・ディスク或いは他のアクセス可能な記憶媒体に保存される（ステップ１８２）。ユーザの電子媒体再生装置における設定がバックアップ部分を扱うように設定されることも可能である（ステップ１９０）。再生されるとき、コンパクト・ディスクにおける破壊されたファイル部分は、コンパクト・ディスク再生装置からの連続的に統合された非破壊部分を再生することによって適宜回避される。
【００２３】
このプロセス中、又はその後の或る時期に、ユーザは、他の未破壊部分と共に新たなコンパクト・ディスク上の非破壊バージョンを保存するというオプションを与えられる。任意選択的には、ユーザは、すべて同時に更新されるか又は各々が個々にパワー・オンされるその後の或る時期にすべて更新されることが可能な電子媒体再生装置をすべて登録してもよい。
【００２４】
ディスクを清掃することによって、又は読取装置を回転することによって、又は、位置付けを補助するためにコンパクト・ディスク上に透明のテープを設置したり、レンズを清掃したり、マシンを真空化したり、レンズを再編成したり、又は他のドライバをダウンロードするというような他の物理的修復を行うことによって、コンパクト・ディスクを物理的に調整するような即時手段でもって、ユーザを促してもよい。その修復するための即時手段が成功しなかった場合、破壊されたファイルは、本発明の方法を使って、再生中に又はちょっと前の事前の分析によって置換されなければならない。
【００２５】
図３及び図４は、本発明を実施するための好適なシステムを示す。図３では、ネットワーク・システム３０が電子媒体再生装置３２に直接に又はパーソナル・コンピュータ３４を介して接続される。そのオンライン・ネットワークは、電子媒体再生装置３２のメモリ内にダウンロードするためのマスタ・コピーにアクセスを行う。これとは別に、図４に示されるように、好適なシステムは、電子媒体再生装置３２に保存するためのダウンロード可能なマスタ・コピーをアクセスするために、コンピュータ３６によって表された他のコンピュータにパーソナル・コンピュータ３４が相互接続されたピア・ツー・ピア・レベルで実施することが可能である。コンピュータ間の接続は、インターネットを介することが望ましいが、他のハード・ラインまたは電磁送信接続も可能である。
【００２６】
特定の好適な実施例に関連して本発明を詳細に説明したが、上記の説明から見て、多くの代替、修正、及び変更が当業者には明らかであろうということは明白である。従って、「特許請求の範囲」の記載は、如何なるそのような代替、修正、及び変更も、本発明の範囲及び真意内にあるものとして包含することを意図している。
【図面の簡単な説明】
【００２７】
【図１】本発明に関するメイン・プロセスのフローのフローチャートである。
【図２】図１の「サブ・プロセス１」と呼ばれる非破壊バージョンでもって、破壊されたファイル・セグメントを置換するための要求を中央オンライン・システムが処理することを表すフローチャートである。
【図３】本発明を具現化するための好適なシステムの概略図である。
【図４】本発明を具現化するための好適なシステムの概略図である。
【図１】
2007109374.tif 000003
【図２】
2007109374.tif 000004
【図３】
2007109374.tif 000005
【図４】
2007109374.tif 000006